(57)【要約】      （修正有）【課題】  揺動自在に設けられた振り子部材に装設されるレーザー光源ユニット等を種々の振動や衝撃から有効に保護するレーザー墨出し器を提供する。【解決手段】  垂直及び水平方向に照射されるレーザー光を照射する開口窓部を有する本体ハウジングと、本体ハウジング内にジンバル機構を介して揺動自在に垂下状態で装設された振り子部材と、振り子部材の所定位置に装着されレーザー光発生手段及びレーザー光発生手段からのレーザー光を所定の方向に照射する光学手段を有するレーザー光源ユニットと、を備えたレーザー墨出し器であって、本体ハウジング内に振り子部材の下部自由端側に対向して衝撃緩和材からなる規制部材が装設され、規制部材には振り子部材の下部自由端が所定の空間を隔てて挿通しかつ振り子部材の必要以上の揺動時にその下部自由端側面が当接する規制孔が形成され、規制孔の当接面にはその軸方向に多数の切込み溝が所定の間隔で形成されている。【選択図】  図５
2007278718.tif 000002
【特許請求の範囲】
【請求項１】
垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジング内には前記振り子部材の下部自由端側に対向して衝撃緩和材からなる規制部材が装設され、該規制部材には前記振り子部材の下部自由端が所定の空間を隔てて挿通しかつ該振り子部材の必要以上の揺動時にその下部自由端側面が当接する規制孔が形成され、この規制孔の当接面にはその軸方向に多数の切込み溝が所定の間隔で形成されている、
ことを特徴とするレーザー墨出し器。
【請求項２】
前記規制部材は、板状体から形成され、その規制孔と外郭縁との間の板厚部位に所望形状の空洞部が形成されている、
ことを特徴とする請求項１記載のレーザー墨出し器。
【請求項３】
前記規制部材は、ほぼ円形状またはほぼ矩形状の板状体から貫設され、その中央部に円形の規制孔が形成され、該規制孔と外郭縁との間の板厚部にほぼ楕円形状または三角形状の空洞部が貫設されている、
ことを特徴とする請求項１記載のレーザー墨出し器。
【請求項４】
垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
該本体ハウジング内に装設された取付け部材に対し前記ジンバル機構を支持する支持部材を重合状態で組付け、この取付け部材と支持部材とが免振材からなるリベット状の結合部材で該取付け部材と支持部材の接触面間に所定の空隙を有するように結合されている、
ことを特徴とするレーザー墨出し器。
【請求項５】
前記結合部材は、軸状に形成されるとともに、その軸部の両端部に軸径より大径の頭部と、軸部のほぼ中間部に該軸部より大径フランジ部とが一体状に形成されている、
ことを特徴とする請求項４記載のレーザー墨出し器。
【請求項６】
垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジングの少なくとも１つの外周立面にはレーザー光を照射する開口窓部が形成されるとともに、上面の一部をレーザー光の各照射状態等を表示する表示面として形成され、この本体ハウジングに対し少なくとも前記１つの外周立面及び表示面を残して他の外周面及び底面の一部を取囲むように所望の厚みの衝撃緩衝材からなる外郭カバー部材が抱持状態で装設されている、
ことを特徴とするレーザー墨出し器。
【請求項７】
前記外郭カバー部材は、前記本体ハウジングに接する内面に所定の深さ及び幅の多数本の空洞条が形成されている、
ことを特徴とする請求項６記載のレーザー墨出し器。
【請求項８】
前記外郭カバー部材は、その外周立面にほぼ半球状の多数個の突部が所望の間隔をおいて膨出形成されている、
ことを特徴とする請求項６記載のレーザー墨出し器。
【請求項９】
垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジング内に装設された取付け部材に対し、前記ジンバル機構を支持する一対の支持部材を重合状態で組付け、この取付け部材と支持部材とが免振材からなるリベット状の結合部材で該取付け部材と支持部材の接触面間に所定の空隙を有するように結合され、
前記本体ハウジング内には前記振り子部材の下部自由端側に対向して衝撃緩和材からなる規制部材が装設され、該規制部材には前記振り子部材の下部自由端が所定の空間を隔てて挿通しかつ該振り子部材の必要以上の揺動時にその下部自由端側面が当接する規制孔が形成され、この規制孔の当接面にはその軸方向に多数の切込み溝が所定の間隔で形成されている、
ことを特徴とするレーザー墨出し器。
【請求項１０】
垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジング内に装設された取付け部材に対し、前記ジンバル機構を支持する一対の支持部材を重合状態で組付け、この取付け部材と支持部材とが免振材からなるリベット状の結合部材で該取付け部材と支持部材の接触面間に所定の空隙を有するように結合され、
前記本体ハウジング内には前記振り子部材の下部自由端側に対向して衝撃緩和材からなる規制部材が装設され、該規制部材には前記振り子部材の下部自由端が所定の空間を隔てて挿通しかつ該振り子部材の必要以上の揺動時にその下部自由端側面が当接する規制孔が形成され、この規制孔の当接面にはその軸方向に多数の切込み溝が所定の間隔で形成され、
さらに、前記本体ハウジングの少なくとも１つの外周立面にはレーザー光を照射する開口窓部が形成されるとともに、上面の一部をレーザー光の各照射状態等を表示する表示面として形成され、この本体ハウジングに対し少なくとも前記１つの外周立面及び表示面を残して他の外周面及び底面の一部を取囲むように所望の厚みの衝撃緩衝材からなる外郭カバー部材が抱持状態で装設されている、
ことを特徴とするレーザー墨出し器。
【発明の詳細な説明】
【技術分野】
【０００１】
本発明は、建築現場等において、壁、天井、床糖の被照射物に墨出し用のレーザー光を投光してそのレーザー光による鉛直線或いは水平線を引くようになしたレーザー墨出し器に係り、詳しくは、レーザー墨出し器の外郭カバー体の内部に装備される、例えば、揺動自在に設けられた振り子部材に装設される各レーザー光源ユニット等を種々の衝撃から保護することができるレーザー墨出し器に関する。
【背景技術】
【０００２】
一般に、この種のレーザー墨出し器においては、本体ハウジング内においてジンバル機構を介して振り子部材が揺動自在に垂下状態で設けられ、この振り子部材に所定の方向にレーザー光を照射するためのレーザー光発生手段及びレーザー光発生手段からのレーザー光を所定の方向に照射する光学手段を有するレーザー光源ユニットが設けられている。
そして、該振り子部材に装設される各レーザー光源ユニット等を種々の衝撃から保護するために、従来のレーザー墨出し器にあっては、ジンバル機構を取付ける固定板を該固定板を支持する支持板とを衝撃吸収材を介して固定し、また、振り子部材の下部自由端が当接する部位に衝撃吸収材を配置するように構成されている。（特許文献１参照）
【特許文献１】特開２００５−２９２０５９
【発明の開示】
【発明が解決しようとする課題】
【０００３】
しかしながら、上記の従来のレーザー墨出し器における各衝撃吸収材において、固定板と支持板との固定に用いられる衝撃吸収材にあっては、両者を結合するボルトに嵌合するブッシュ構造であり、また、振り子部材の下部自由端が当接してその時の衝撃を吸収する衝撃吸収材にあっては、単にOリングを採用する構造であり、それぞれ衝撃吸収としてその機能を発揮できるものの、十分に満足するには至らなかった。
そこで、本発明は、揺動自在に設けられた振り子部材に装設される各レーザー光源ユニット等を種々の振動や衝撃から有効に保護することができるレーザー墨出し器を提供することを課題とする。
【課題を解決するための手段】
【０００４】
上記した課題は、各請求項記載の発明によって解決される。
すなわち、請求項１記載の発明は、垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジング内には前記振り子部材の下部自由端側に対向して衝撃緩和材からなる規制部材が装設され、該規制部材には前記振り子部材の下部自由端が所定の空間を隔てて挿通しかつ該振り子部材の必要以上の揺動時にその下部自由端側面が当接する規制孔が形成され、この規制孔の当接面にはその軸方向に多数の切込み溝が所定の間隔で形成されていることを要旨とする。
【０００５】
この構成によれば、振り子部材が必要以上に揺動した状態において、その下部自由端側面が衝撃緩和材からなる規制部材の規制孔に当接されるが、そのときの振動や衝撃を規制孔における多数の切込み溝が形成された当接面によって、より一層効果的（有効）にその振動や衝撃を緩和吸収することができる。
【０００６】
請求項２記載の発明は、請求項１記載のレーザー墨出し器であって、前記規制部材は、板状体から形成され、その規制孔と外郭縁との間の板厚部位に所望形状の空洞部が形成されていることを要旨とする。
【０００７】
この構成によれば、振り子部材が必要以上に揺動した状態において、その下部自由端側面が衝撃緩和材からなる規制部材の規制孔に当接されたときの振動や衝撃を規制部材の空洞部によって、さらに効果的（有効）にその振動や衝撃を緩和吸収することができる。
【０００８】
請求項３記載の発明は、請求項１記載のレーザー墨出し器であって、前記規制部材は、ほぼ円形状またはほぼ矩形状の板状体から貫設され、その中央部に円形の規制孔が形成され、該規制孔と外郭縁との間の板厚部にほぼ楕円形状またはほぼ三角形状の空洞部が貫設されていることを特徴とする。
【０００９】
この構成によれば、請求項２と同様に、振り子部材が必要以上に揺動した状態において、その下部自由端側面が衝撃緩和材からなる規制部材の規制孔に当接されたときの振動や衝撃を規制部材の空洞部によって、さらに効果的（有効）にその振動や衝撃を緩和吸収することができる。
【００１０】
請求項４記載の発明は、垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
該本体ハウジング内に装設された取付け部材に対し前記ジンバル機構を支持する支持部材を重合状態で組付け、この取付け部材と支持部材とが免振材からなるリベット状の結合部材で該取付け部材と支持部材の接触面間に所定の空隙を有するように結合されていることを要旨とする。
【００１１】
この構成によれば、取付け部材と支持部材との結合部位における免振材からなるリベット状の結合部材によって、本体ハウジングから振り子部材に伝達される振動や衝撃を緩和吸収することができるとともに、その結合部位の組付け構造を簡素化し得る。
【００１２】
請求項５記載の発明は、請求項４記載のレーザー墨出し器であって、前記結合部材は、軸状に形成されるとともに、その軸部の両端部に軸径より大径の頭部と、軸部のほぼ中間部に該軸部より大径フランジ部とが一体状に形成されていることを要旨とする。
【００１３】
この構成にとれば、請求項４と同様に、本体ハウジングから振り子部材に伝達される振動や衝撃を緩和吸収することができるとともに、その結合部位の組付け構造を簡素化し得る。
【００１４】
請求項６記載の発明は、垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジングの少なくとも１つの外周立面にはレーザー光を照射する開口窓部が形成されるとともに、上面の一部をレーザー光の各照射状態等を表示する表示面として形成され、この本体ハウジングに対し少なくとも前記１つの外周立面及び表示面部を残して他の外周面及び底面の一部を取囲むように所望の厚みの衝撃緩和材からなる外郭カバー部材が抱持状態で装設されていることを要旨とする。
【００１５】
この構成によれば、本体ハウジング、すなわち、レーザー墨出し器全体に外部から衝撃が作用した場合、該本体ハウジングを衝撃緩和材からなる外郭カバー部材によって抱持状態で包み込むことによって、その衝撃を緩和吸収することができる。
【００１６】
請求項７記載の発明尾は、請求項６記載のレーザー墨出し器であって、前記外郭カバー部材は、前記本体ハウジングに接する内面に所定の深さ及び幅の多数本の空洞条が形成されていることを要旨とする。
【００１７】
この構成によれば、本体ハウジング、すなわち、レーザー墨出し器全体に外部から衝撃が作用した場合、該本体ハウジングを抱持状態で包み込む外郭カバー部材における空洞条によってその衝撃をより一層効果的（有効）に緩和吸収することができる。
【００１８】
請求項８記載の発明は、請求項７記載のレーザー墨出し器であって、前記外郭カバー部材は、その外周立面にほぼ半球状の多数個の突部が所望の間隔をおいて膨出形成されていることを要旨とする。
【００１９】
この構成によれば、請求項６と同様に、レーザー墨出し器全体に対する外部からの衝撃を、一層効果的（有効）に緩和吸収することができるとともに、該レーザー墨出し器全体の把持状態を良好にし得る。
【００２０】
請求項９記載の発明は、垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジング内に装設された取付け部材に対し、前記ジンバル機構を支持する一対の支持部材を重合状態で組付け、この取付け部材と支持部材とが免振材からなるリベット状の結合部材で該取付け部材と支持部材の接触面間に所定の空隙を有するように結合され、
前記本体ハウジング内には前記振り子部材の下部自由端側に対向して衝撃緩和材からなる規制部材が装設され、該規制部材には前記振り子部材の下部自由端が所定の空間を隔てて挿通しかつ該振り子部材の必要以上の揺動時にその下部自由端側面が当接する規制孔が形成され、この規制孔の当接面にはその軸方向に多数の切込み溝が所定の間隔で形成されていることを要旨とする。
【００２１】
この構成によれば、本体ハウジングから振り子部材に伝達される振動や衝撃、さらには、振り子部材が必要以上に揺動したときの振動や衝撃を、それぞれより一層効果的（有効）にその振動や衝撃を緩和吸収することができる。
【００２２】
請求項１０記載の発明は、垂直方向及び水平方向に照射されるレーザー光を照射する開口窓部を有する本体ハウジングと、該本体ハウジング内においてジンバル機構を介して揺動自在に垂下状態で装設された振り子部材と、該振り子部材の所定位置に装着され、レーザー光発生手段及びレーザー光発生手段からのレーザー光を所定の方向に照射する光学手段を有するレーザー光源ユニットと、を備えたレーザー墨出し器であって、
前記本体ハウジング内に装設された取付け部材に対し、前記ジンバル機構を支持する一対の支持部材を重合状態で組付け、この取付け部材と支持部材とが免振材からなるリベット状の結合部材で該取付け部材と支持部材の接触面間に所定の空隙を有するように結合され、
前記本体ハウジング内には前記振り子部材の下部自由端側に対向して衝撃緩和材からなる規制部材が装設され、該規制部材には前記振り子部材の下部自由端が所定の空間を隔てて挿通しかつ該振り子部材の必要以上の揺動時にその下部自由端側面が当接する規制孔が形成され、この規制孔の当接面にはその軸方向に多数の切込み溝が所定の間隔で形成され、
さらに、前記本体ハウジングの少なくとも１つの外周立面にはレーザー光を照射する開口窓部が形成されるとともに、上面の一部をレーザー光の各照射状態等を表示する表示面として形成され、この本体ハウジングに対し少なくとも前記１つの外周立面及び表示面を残して他の外周面及び底面の一部を取囲むように所望の厚みの衝撃緩衝材からなる外郭カバー部材が抱持状態で装設されていることを要旨とする。
【００２３】
この構成によれば、本体ハウジングから振り子部材に伝達される振動や衝撃及び振り子部材が必要以上に揺動したときの振動や衝撃、さらには、本体ハウジング、すなわち、レーザー墨出し器全体に外部から作用する衝撃を、それぞれより一層効果的（有効）にその振動や衝撃を緩和吸収することができる。
【発明の効果】
【００２４】
請求項１記載の発明にあっては、振り子部材が必要以上に揺動したときの振動や衝撃を、より一層効果的（有効）に緩和吸収して、振り子部材に装設される各レーザー光源ユニット等をその振動や衝撃から有効に保護することができる。
【００２５】
請求項２記載の発明にあっては、振り子部材が必要以上に揺動したときの振動や衝撃を、さらに効果的（有効）に緩和吸収して、振り子部材に装設される各レーザー光源ユニット等をその振動や衝撃から有効に保護することができる。
【００２６】
請求項３記載の発明にあっては、請求項２とどうように、振り子部材が必要以上に揺動したときの振動や衝撃を、さらに効果的（有効）に緩和吸収して、振り子部材に装設される各レーザー光源ユニット等をその振動や衝撃から有効に保護することができる。
【００２７】
請求項４記載の発明にあっては、本体ハウジングから振り子部材に伝達される振動や衝撃を緩和吸収して、振り子部材に装設される各レーザー光源ユニット等をその振動や衝撃から有効に保護することができるとともに、その結合部位の組付け構造を簡素化し得る。
【００２８】
請求項５記載の発明にあっては、請求項４と同様に、振り子部材に装設される各レーザー光源ユニット等をその振動や衝撃から有効に保護することができるとともに、その結合部位の組付け構造を簡素化することができる。
【００２９】
請求項６記載の発明にあっては、本体ハウジング、すなわち、レーザー墨出し器全体に外部から衝撃が作用した場合、その衝撃を緩和吸収して、振り子部材に装設される各レーザー光源ユニット等をその衝撃から有効に保護することができる。
【００３０】
請求項７記載の発明にあっては、本体ハウジング、すなわち、レーザー墨出し器全体に外部から作用する衝撃を、より一層効果的（有効）に緩和吸収して、振り子部材に装設される各レーザー光源ユニット等をその衝撃から有効に保護することができる。
【００３１】
請求項８記載の発明にあっては、請求項６と同様に、レーザー墨出し器全体に対する外部からの衝撃を、一層効果的（有効）に緩和吸収して、振り子部材に装設される各レーザー光源ユニット等をその衝撃から有効に保護することができるとともに、該レーザー墨出し器全体の取扱いを良好にすることができる。
【００３２】
請求項９記載の発明にあっては、本体ハウジングから振り子部材に伝達される振動や衝撃、さらには、振り子部材が必要以上に揺動したときの振動や衝撃を、それぞれより一層効果的（有効）にその振動や衝撃を緩和吸収して、振り子部材に装設される各レーザー光源ユニット等をその振動や衝撃から有効に保護することができる。
【００３３】
請求項１０記載の発明にあっては、本体ハウジングから振り子部材に伝達される振動や衝撃及び振り子部材が必要以上に揺動したときの振動や衝撃、さらには、本体ハウジング、すなわち、レーザー墨出し器全体に外部から作用する衝撃を、それぞれより一層効果的（有効）にその振動や衝撃を緩和吸収して、振り子部材に装設される各レーザー光源ユニット等をその振動や衝撃から有効に保護することができる。
【発明を実施するための最良の形態】
【００３４】
次に、本発明を実施するための最良の形態について、実施例にしたがって説明する。
【実施例】
【００３５】
図１に示すように、本実施例のレーザー墨出し器１は、振り子部材２及び該振り子部材２に装着される複数個のレーザー光源ユニット３、３等の機器主要部４と、該機器主要部４を内部に装備される本体ハウジング５と、該本体ハウジング５の外周及び低部を包み込むように装着される外郭カバー６部材とを主体として構成されている。
【００３６】
前記本体ハウジング５は、断面ほぼ楕円形状の筒形から形成されており、その外周の１つの外周立面５ａにおいてほぼ中央下部位置から上面に至る部位が順次細くなる湾曲面となしている。この湾曲面となした外周立面５ａには後述するレーザー光を垂直線状に照射する第１の開口窓部７と、該第１の開口窓部７の下部に位置されかつ後述するレーザー光を水平線状に照射する第２の開口窓部８とが貫設されている。また、本体ハウジング５の上面は後述するレーザー光の各照射状態等を表示するための各表示灯及びその指示マーク等が表出された表示面５ｂとなしている。なお、図示の実施例では本体ハウジング５の１つの外周立面５ａを形成して第１の開口窓部７及び第２の開口窓部８を貫設したが、複数の外周立面の形成（貫設）してもよい。
【００３７】
振り子部材２及び該振り子部材２に装着される複数個のレーザー光源ユニット３、３等の機器主要部４にあって、図８及び図９に示すように、下部には板状の台座部材９が配置され、この台座部材９の外縁一部には支柱部材１０が一体的に立設されている。この支柱部材１０の上端には水平状に取付け部材１１が延出され、該取付け部材１１の一端両側縁には左右一対の逆L字状の支持部材１２が垂下状に連結されていて、この一対の支持部材１２間に組付けられたジンバル機構２２を介して前記振り子部材２が揺動自在に垂下状態で装設されている。
なお、図５では一対の支持部材１２が取付け部材１１の一端両側部に形成した突片１１ａ、１１ａに内方から連結垂下された状態を図示するものであるが、取付け部材１１に対する支持部材１２の取付け状態はいずれの構成であってもよい。
【００３８】
そして、前記取付け部材１１に対する支持部材１２の取付け（結合）構成は、図７及び図１０に示すように、支持部材１２はその上部の曲折片１２ａが取付け部材１１の上面に位置され、この両者が免振材からなるリベット状の結合部材１３にてそれぞれ２箇所ずつ連結されている。なお、結合部材１３は、免振材として、振動や衝撃エネルギーの吸収性に優れた部材、例えば、天然ゴム、シリコンゴムや、ポリウレタン等から成形することが望ましい。
【００３９】
すなわち、前記結合部材１３は、軸状に形成されるとともに、その軸部の両端部に軸径より大径の頭部１３ａと、軸部のほぼ中間部に該軸部より大径のフランジ部１３ｂとが一体状に形成されており、取付け部材１１と支持部材１２との孔部にその軸部を圧入状態で嵌合するとともに、両頭部１３ａを取付け部材１１の上面側と支持部材１２の下面側に位置させ、さらにフランジ部１３ｂを取付け部材１１と支持部材１２との接触面間に所定の空隙Ｓ１を有するように位置させて結合するものである。
【００４０】
しかして、取付け部材１１と支持部材１２との間において、取付け部材１１側から支持部材１２に伝達される振動や衝撃をリベット状の各結合部材１３によって吸収緩和するものである。
【００４１】
そして、前記振り子部材２における外周の所定の部位にはレーザー光発生手段１４ａ及びレーザー光発生手段１４ａからのレーザー光を所定の垂直方向に照射する円柱レンズからなる光学手段１５ａを有する第１のレーザー光源ユニット３Ａ及びレーザー光発生手段１４ｂ及びレーザー光発生手段１４ｂからのレーザー光を所定の水平方向に照射する円柱レンズからなる光学手段１５ｂを有する第２のレーザー光源ユニット３Ｂが前記第１の開口窓部７及び第２の開口窓部８に対応するように上下に位相差をもって配設されている。
なお、振り子部材２には、図示しないがレーザー光を下方若しくは上方に照射するように対応した前記レーザー光源ユニットを装備する構成も採用されるものである。
【００４２】
前記台座部材９の上面には図８及び図９に示すように、所定の深さの凹部が形成され、この対向する一方には一対の膨出部９ａ、９ａが形成され、この膨出部９ａ、９ａ間の内面に規制部材１６が嵌合状態で装設されている。
この規制部材１６は、図５及び図６に示すように、衝撃緩和材からなり、所望の厚さの板状体からほぼ矩形状に形成されており、その中央部には大径の円形の規制孔１７が貫設され、該規制孔１７の内周の当接面にはその軸方向に多数の切込み溝１８〜１８が所定の間隔（図では等間隔）で形成されている。また、規制部材１６の規制孔１７と外郭縁との間の板厚部の各隅部にほぼ三角形状の空洞部１９〜１９が貫設されている。
なお、規制部材１６は、衝撃緩和材として、振動や衝撃エネルギーの吸収性に優れた部材、例えば、天然ゴム、シリコンゴムや、ポリウレタン等から成形することが望ましい。
【００４３】
しかして、規制部材１６の規制孔１７内には前記振り子部材２の下部自由端が位置されるとともに、所定の空間Ｓ２を隔てて挿通された状態でかつ該振り子部材２の必要以上の揺動時にその下部自由端側面が当接する可能である。
これによって、振り子部材２が必要以上に揺動したとき、その下部自由端側面が規制部材１６の規制孔１７に当接され、そのときの振動や衝撃を規制孔１７における多数の切込み溝１８が形成された当接面によって緩和吸収するものである。
なお、図示の実施例においては規制部材１６をほぼ矩形状に形成したが、ほぼ円形状に形成してもよく、この場合、空洞部１９〜１９は、その規制孔１７と外郭縁との間の板厚部の所望の部位にほぼ楕円形状として形成されるものである。
【００４４】
そして、前記本体ハウジング５は前記機器主要部４を外方から覆蓋するように、その下部開放部が前記台座部材９の外周段差部位に嵌合されて取付けられるものである。
【００４５】
前記外郭カバー部材６は、図２及び図３に示すように、所定の厚さを有する衝撃緩和材から成形されるとともに、前記本体ハウジング５における１つの外周立面５ａ及び上面の表示面５ｂを残した他の立体形状に合致する形状に形成されている。
しかして、外郭カバー部材６は本体ハウジング５に対し、本体ハウジング５の１つの外周立面５ａ及び上面の表示面５ｂを残して他の外周面及び底面を取囲む（包み囲む）ように抱持状態で装設されている。
なお、外郭カバー部材６は、衝撃緩和材として、振動や衝撃エネルギーの吸収性に優れた部材、例えば、天然ゴム、シリコンゴムや、ポリウレタン等から成形することが望ましい。
また、外郭カバー部材６は、本体ハウジング５の複数の外周立面に第１の開口窓部及び第２の開口窓部が形成されている場合や下方及び上方にレーザー光を照射するレーザー光源ユニットが装備されている場合は、本体ハウジング５に対し、本体ハウジング５のそれらの外周立面及び上面の表示面５ｂ、さらには、下方及び上方にレーザー光を照射する部位を残して他の外周面及び底面の一部を取囲む（包み囲む）ように抱持状態で装設されている。
【００４６】
前記外郭カバー部材６における前記本体ハウジング５に接する内面には、図４に示すように、所定の深さ及び幅の多数本の空洞条２０〜２０が上下方向、又は横（左右）方向、或いは格子状は形成されている。また、前記外郭カバー部材６の外周立面にほぼ半球状の多数個の突部２１〜２１が所望の間隔をおいて膨出形成されている。なお、図２においては、空洞条２０〜２０を省略した状態で図示する。
しかして、外郭カバー部材６は本体ハウジング５、すなわち、レーザー墨出し器１全体に外部からの衝撃が作用した場合、その衝撃を緩和吸収するものである。
【００４７】
さて、本実施例にあっては、上述のように構成したものであり、振り子部材２が必要以上に揺動した状態において、その振り子部材２の下部自由端側面が衝撃緩和材からなる規制部材１６の規制孔１７に当接され、そのときの振動や衝撃を規制孔１７における多数の切込み溝１８が形成された当接面によって緩和吸収し得る。
【００４８】
この状態において、規制部材１６の空洞部１９によって、該規制部材１６自体でもその振動、衝撃を吸収緩和するころができ、さらに効果的（有効）にその振動や衝撃を緩和吸収し得る。
【００４９】
また、取付け部材１１と支持部材１２との結合部位における免振材からなるリベット状の結合部材１３によって、本体ハウジング５から振り子部材２に伝達される振動や衝撃を緩和吸収し得、その結合部位にあっては、ボルト等の他の結合手段を必要とせず、その組付け構造を簡素化し得る。
【００５０】
さらに、本体ハウジング５、すなわち、レーザー墨出し器１全体に外部からの衝撃が作用した場合、該本体ハウジング５を抱持状態で包み込む外郭カバー部材６及びその内面に形成した空洞条２０によってその衝撃をより一層効果的（有効）に緩和吸収するものである。
【００５１】
このように、本実施例のレーザー墨出し器１は、揺動自在に設けられた振り子部材２に装設される各レーザー光源ユニット３Ａ、３Ｂ等を種々の振動や衝撃から有効に保護し得るものである。
【００５２】
なお、本発明にあっては、上述した実施例に限定するものではなく、その発明の主旨を逸脱しない範囲において種々変更が可能である。
【図面の簡単な説明】
【００５３】
【図１】本発明の一実施例の全体形態を示す斜視図である。
【図２】外郭カバー部材を示す斜視図である。
【図３】外郭カバー部材を示す側面図である。
【図４】図３のＡ−Ａ線断面図である。
【図５】本体ハウジング内に装備される主要部を示す斜視図である。
【図６】規制部材を示す平面図である。
【図７】取付け部材と支持部材の結合状態を示す側断面図である。
【図８】本体ハウジング及び外郭カバー部材を取外した状態の正断面図である。
【図９】同じく、側断面図である。
【図１０】取付け部材と支持部材の結合状態を示す正断面図である。
【符号の説明】
【００５４】
１  レーザー墨出し器
２  振り子部材
３  レーザー光源ユニット
５  本体ハウジング
６  外郭カバー部材
７  第１の開口窓
８  第２の開口窓
１３  連結部材
１６  規制部材
１７  規制孔
２２  ジンバル機構
【図１】
2007278718.tif 000003
【図２】
2007278718.tif 000004
【図３】
2007278718.tif 000005
【図４】
2007278718.tif 000006
【図５】
2007278718.tif 000007
【図６】
2007278718.tif 000008
【図７】
2007278718.tif 000009
【図８】
2007278718.tif 000010
【図９】
2007278718.tif 000011
【図１０】
2007278718.tif 000012